(57)【要約】【課題】車両の使用者がコンタクトレンズを装着しているかを確実に識別することを可能とする車両使用管理装置を提供する。【解決手段】カード読込み書込み部１１は、電子運転免許証２から車両運転の条件を示す運転条件情報を取得する。目画像取得部１２ａは、車両使用希望者の目画像を撮影して目画像データを取得し、顔画像取得部１２ｂは、車両使用希望者の少なくとも目周辺の顔画像を撮影して目周辺の顔画像データを取得する。制御部１４は、目画像データから抽出した虹彩情報と、記憶部１３に記憶された虹彩情報との対比処理を含む使用者認証処理と、運転条件情報に基づく運転可否判別処理と、目画像データに基づいて車両使用希望者がコンタクトレンズを装着しているかどうかを識別するコンタクトレンズ識別処理を行う。コンタクトレンズ識別処理は、目画像データから円形エッジを抽出し、抽出した円形エッジの数及び大きさに基づいてコンタクトレンズの装着を識別する。【選択図】図１
2007246031.tif 000002
【特許請求の範囲】
【請求項１】
車両の使用管理を行う車両管理装置であって、
前記車両を使用する車両使用者の目画像データを取得する目画像取得部と、
前記目画像取得部で取得した目画像データに基づいて、前記車両使用者のコンタクトレンズの装着を識別するコンタクトレンズ識別部とを備え、
前記コンタクトレンズ識別部は、前記目画像データから円形エッジを抽出する処理を含み、抽出した前記円形エッジの数に基づいてコンタクトレンズの装着を識別する車両管理装置。
【請求項２】
請求項１記載の車両管理装置であって、
前記円形エッジは、少なくとも瞳孔の外形エッジ及び虹彩の外形エッジを含む車両管理装置。
【請求項３】
請求項１又は２記載の車両管理装置であって、
前記車両を使用する車両使用者の目周辺の顔画像データを取得する顔画像取得部と、
前記顔画像取得部で取得した顔画像データに基づいて、前記車両使用者の眼鏡の装着を識別する眼鏡識別部とを備える車両管理装置。
【請求項４】
請求項３記載の車両管理装置であって、
車両使用許可者の虹彩情報を含む認証情報を記憶する認証情報記憶部と、
前記目画像データから抽出した虹彩情報と、前記認証情報記憶部に記憶された虹彩情報との対比処理を含む使用者認証処理を行う認証処理部と、
電子運転免許証に記憶された、車両運転の条件を示す運転条件情報を含むデータを取得するデータ取得部と、
前記車両使用者による当該車両の運転の可否を判断する運転可否判別部とを備え、
前記運転可否判別部は、前記データ取得部を介して取得した前記車両使用者の前記運転条件情報が眼鏡等の使用を示している場合、前記コンタクトレンズ識別部及び前記眼鏡識別部の少なくとも一方の識別結果と、前記認証処理部の使用者認証処理結果に基づいて、当該車両の運転の可否を判断する車両管理装置。
【請求項５】
請求項４記載の車両管理装置であって、
コンタクトレンズ識別部は、前記認証処理部の認証処理に先立ってコンタクトレンズの装着の識別を行う車両管理装置。
【請求項６】
請求項５記載の車両管理装置であって、
コンタクトレンズ識別部は、前記眼鏡識別部が眼鏡の装着を識別できない場合にコンタクトレンズの装着の識別を行う車両管理装置。
【発明の詳細な説明】
【技術分野】
【０００１】
本発明は、車両の使用管理を行う車両管理装置に関する。
【背景技術】
【０００２】
電子免許証に記憶された情報や虹彩等の生体情報を用いて車両の使用を管理する技術が各種提案されている（例えば、特許文献１、２参照）。特許文献１に記載された認証装置は、電子免許証に記憶された情報と生体情報を入力し、予め登録された免許証情報及び生体情報との比較結果に応じて、車両のドアの施錠及び開錠、車両のエンジンの始動等の車両の動作を制御するものである。なお、虹彩を生体として利用する場合、虹彩画像から得た虹彩コードを認証に利用することができる（例えば、特許文献２参照）。しかし、特許文献１の技術は、免許証に記載された事項を使用者の認証に利用するものである。
【０００３】
特許文献３に記載された運転支援システムは、運転免許証に記載された運転条件（例えば、眼鏡等使用、初心者・高齢者マークの貼付）を読み取って記憶しておき、運転者の状態（例えば、眼鏡やコンタクトレンズを使用しているかどうか）、又は車両の状態（例えば、初心者・高齢者マークが貼り付けられているかどうか）に基いて、エンジンの作動をさせない等の処理を行うものである。具体的には、画像認識手段により車両の使用希望者の顔面や車両のボンネット等を撮影し、得られる情報に基づいて運転条件を満たしているかどうかを判断し、エンジンの始動を禁止するものである。しかし、顔面画像情報に基いて運転希望者がコンタクトレンズを装着しているかどうかを判断することは難しく、確実な運転管理ができない。
【０００４】
【特許文献１】特開２００５−２４８４４５号公報
【特許文献２】特表平８−５０４９７９号公報
【特許文献３】特開２００５−１６４３号公報（請求項２３、段落［００６２］、［００６３］、［０１８０］〜［０１９１］、図２７、３０）
【発明の開示】
【発明が解決しようとする課題】
【０００５】
本発明は、上記事情に鑑みなされたもので、車両の使用者がコンタクトレンズを装着しているかを確実に識別することを可能とする車両管理装置を提供することを目的とする。
【課題を解決するための手段】
【０００６】
本発明の車両管理装置は、車両の使用管理を行う車両管理装置であって、前記車両を使用する車両使用者の目画像データを取得する目画像取得部と、前記目画像取得部で取得した目画像データに基づいて、前記車両使用者のコンタクトレンズの装着を識別するコンタクトレンズ識別部とを備え、前記コンタクトレンズ識別部は、前記目画像データから円形エッジを抽出する処理を含み、抽出した前記円形エッジの数に基づいてコンタクトレンズの装着を識別するものである。
【０００７】
本発明によれば、目画像データのエッジ抽出処理によって抽出したエッジの形状の分析のみでコンタクトレンズの装着を識別するので、簡単な画像処理でコンタクトレンズを識別することができ、車両の使用者がコンタクトレンズを装着しているかを確実に識別することが可能となる。
【０００８】
本発明の車両管理装置は、前記円形エッジが、少なくとも瞳孔の外形エッジ及び虹彩の外形エッジを含むものを含む。本発明によれば、瞳孔の外形エッジと虹彩の外形エッジを識別することにより、他の円形エッジの有無及び大きさに基づき、コンタクトレンズの装着の有無を識別することができる。
【０００９】
本発明の車両管理装置は、さらに、前記車両を使用する車両使用者の目周辺の顔画像データを取得する顔画像取得部と、前記顔画像取得部で取得した顔画像データに基づいて、前記車両使用者の眼鏡の装着を識別する眼鏡識別部とを備えるものを含む。本発明によれば、車両使用者の眼鏡の装着も識別することができ、眼鏡等の装着の有無を確実に識別することができるので、運転免許の制限事項に基づく車両の使用管理をさらに確実に行うことが可能となる。
【００１０】
本発明の車両管理装置は、さらに、車両使用許可者の虹彩情報を含む認証情報を記憶する認証情報記憶部と、前記目画像データから抽出した虹彩情報と、前記認証情報記憶部に記憶された虹彩情報との対比処理を含む使用者認証処理を行う認証処理部と、電子運転免許証に記憶された、車両運転の条件を示す運転条件情報を含むデータを取得するデータ取得部と、前記車両使用者による当該車両の運転の可否を判断する運転可否判別部とを備え、前記運転可否判別部は、前記データ取得部を介して取得した前記車両使用者の前記運転条件情報が眼鏡等の使用を示している場合、前記コンタクトレンズ識別部及び前記眼鏡識別部の少なくとも一方の識別結果と、前記認証処理部の使用者認証処理結果に基づいて、当該車両の運転の可否を判断するものを含む。本発明によれば、虹彩情報を使用者認証処理とコンタクトレンズ識別処理の一部を共用できるので、車両の使用管理処理の負担を全体として軽減することができる。
【００１１】
本発明の車両管理装置は、前記コンタクトレンズ識別部が、前記認証処理部の認証処理に先立ってコンタクトレンズの装着の識別を行うものを含む。
【００１２】
本発明の車両管理装置は、コンタクトレンズ識別部が、前記眼鏡識別部が眼鏡の装着を識別できない場合にコンタクトレンズの装着の識別を行うものを含む。
【発明の効果】
【００１３】
以上の説明から明らかなように、本発明によれば、車両の使用者がコンタクトレンズを装着しているかを確実に識別することを可能とする車両管理装置を提供することができる。
【発明を実施するための最良の形態】
【００１４】
以下、本発明の実施の形態について、図面を用いて説明する。
【００１５】
図１は、本発明の実施の形態の車両使用管理装置の概略機能ブロック図である。図１の車両使用管理装置１は、カード読込み書込み部１１、目画像取得部１２ａ、顔画像取得部１２ｂ、記憶部１３、制御部１４、出力部１５、操作部１６、車両側インタフェース１７を含んで構成され、電子運転免許証２のデータの読取り書込みが可能となっているとともに、車両状態検出部３、車両制御部４と接続されている。
【００１６】
カード読込み書込み部１１は、電子運転免許証２との間でデータの読取り書込みを行うものであり、電子運転免許証２に記憶された、車両運転の条件を示す運転条件情報を含むデータを取得するデータ取得部としての機能を有する。カード読込み書込み部１１は、車両を使用しようとする車両使用希望者の電子運転免許証との間のデータの読取り書込みが行える位置に配置される。カード読込み書込み部１１は、接触方式でも非接触方式でもよく、電子運転免許証２の種類に応じて選択する。例えば、電子運転免許証２が接触型ＩＣで構成される場合は、接触型ＩＣカードリーダーライターを含んで構成され、非接触型ＩＣカードで構成される場合は、非接触型ＩＣカードリーダーライターを含んで構成される。また、カード読込み書込み部１１として無線通信を行うものを採用し、通信部の設置位置から運転席の周辺までの通信可能な方式を採用することにより、車両使用希望者が所持したままで通信が可能となるようにしてもよい。
【００１７】
目画像取得部１２ａは、車両を使用しようとする車両使用希望者の目画像を撮影し、目画像データを取得するものであり、運転席に着座した人間の目の撮影が可能な位置に配置されたカメラ（図１では図示せず）と、そのカメラの撮影領域を照明する近赤外照明部材（図１では図示せず）を含んで構成される。カメラの撮影解像度は、撮影した画像データから虹彩が識別できる程度とする。
【００１８】
顔画像取得部１２ｂは、車両を使用しようとする車両使用希望者の少なくとも目周辺の顔画像を撮影し、目周辺の顔画像データを取得するものであり、運転席に着座した人間の目の撮影が可能な位置に配置されたカメラ（図１では図示せず）を含んで構成される。必要ならそのカメラの撮影領域を照明する適宜の照明部材（図１では図示せず）が設けられる。カメラの撮影解像度は、撮影した目周辺の顔画像データから眼鏡を装着しているかどうかの識別できる程度とする。なお、目画像取得部１２ａを構成するカメラと顔画像取得部１２ｂを構成するカメラを兼用してもよい。その場合、目周辺の顔画像データから虹彩が識別できる程度に高解像度の画像が取得できるカメラを用いることにより、１つの画像データから虹彩と眼鏡の識別を行うことができる。また、ズーム機能を備えるカメラを利用し、目画像と目周辺の顔画像を別々に撮影してもよい。
【００１９】
図８に、顔画像及び目画像取得の様子を模式的に示す。図８（ａ）は、２つのカメラを利用する場合であり、撮影範囲２１ａの画像を撮影する目画像撮影用カメラ２１と、撮影範囲２２ａの画像を撮影する顔画像撮影用カメラ２２を備える。近赤外照明装置３０は、目画像撮影用カメラ２１の動作時に運転者２０の目周辺を照明する。図８（ｂ）は、１台のカメラを利用する場合である。顔画像撮影用カメラ２３は、ズーム機能を有し、撮影範囲２３ａの画像を撮影することにより、顔画像を撮影する。また、撮影範囲２３ｂの画像を撮影することにより、目画像を撮影する。目画像撮影時には、図８（ａ）と同様に、近赤外照明装置３０により、運転者２０の目周辺を照明する。なお、撮影範囲２３ａの画像が虹彩を識別できる程度に高解像度の画像である場合には、ズーム機能は、不要である。
【００２０】
記憶部１３は、その車両の使用が許可される者（車両使用許可者）の認証情報を含む各種情報を記憶するものである。認証情報には、虹彩情報が含まれ、車両使用許可者の虹彩情報が予め記憶される。記憶される虹彩情報は、例えば特許文献２に示される虹彩コードである。虹彩コードは、車両使用許可者を識別するＩＤ情報（電子運転免許証のＩＤを利用してもよい。）に対応付けて記載してもよいし、単にシリアル番号に対応付けて記憶してもよい。
【００２１】
制御部１４は、画像取得部１２、通信部１１の制御を含む車両の使用管理処理の制御、及び車両使用管理装置１全体の動作制御を行うもので、所定のプログラムによって動作するプロセッサを含んで構成される。使用管理処理には、目画像取得部１２ａで取得した車両使用希望者の目画像データから抽出した虹彩情報と、記憶部１３に記憶された虹彩情報との対比処理を含む使用者認証処理（認証処理部としての機能）、カード読込み書込み部１１を介して取得した車両使用希望者の電子運転免許証２に記憶された運転条件情報等に基づいて、その車両使用希望者による車両の運転の可否を判断する運転可否判別処理（運転可否判別部としての機能）、目画像取得部１２ａで取得した目画像データに基づいて、車両使用希望者がコンタクトレンズを装着しているかどうかを識別するコンタクトレンズ識別処理（コンタクトレンズ識別部としての機能）、顔画像取得部１２ｂで取得した顔画像データに基づいて、車両使用希望者が眼鏡を装着しているかどうかを識別する眼鏡識別処理（眼鏡識別部としての機能）が含まれる。これらの処理の詳細は、後述する。なお、電子運転免許証２に記憶される車両運転の条件を示す運転条件情報には、「眼鏡等」が含まれ、「眼鏡等」が運転条件となっている場合、眼鏡やコンタクトレンズの装着が車両運転の条件となる。
【００２２】
出力部１５は、車両使用管理装置１の動作状態、使用管理処理に伴う使用可否の判断結果、車両使用管理装置１の操作時のガイダンス情報の出力等を行うもので、表示装置、スピーカ等である。操作部１６は、使用者が車両使用管理装置１の操作を行うためのもので、各種スイッチ、キー等である。
【００２３】
車両側インタフェース１７は、車両使用管理装置１と、機能的にまとめて示した車両状態検出部３及び車両制御部４との間の情報の授受を行うためのものである。車両状態検出部３は、車両各部の状態を検出するものである。例えば、車両の電源状態、エンジンの状態、ドアの開閉状態、始動スイッチの動作状態、運転席の着座状態等を検出する。車両制御部４は、車両各部の状態を制御するもので、例えば、エンジンの起動停止を制御する。
【００２４】
以上説明した車両使用管理装置１は、各機能ブロックを構成する要素を専用に設けてもよいが、他の車載機器を兼用してもよい。たとえば、記憶部１３、出力部１５、操作部１６等は、兼用が可能である。
【００２５】
次に図１の車両使用管理装置１の動作を、図２〜図４のフロー図を用いて説明する。図２は基本動作を示す図であり、図３は眼鏡等の識別動作を示す図であり、図４は虹彩認証動作を示す図である。これらの動作は、基本的に制御部１４によって制御される。
【００２６】
車両使用管理装置１は、車両の使用開始がされる前に電源オンとなり、動作可能となっている。例えば、ドア開等がされると、電源オンとなり、起動条件が成立するのを待っている。起動条件は、例えば、運転席への着座検出（車両状態検出３からの着座信号に基づいて判断する。）である。なお、起動条件としては、着座検出だけでなく更に別の条件（エンジン始動スイッチの押下等）を加えることができる。また、起動条件は、ドア開とし、その後連続で目画像データ及び顔画像データを取得してもよい。目画像を自動的に確実に取得するためには、着座検出を条件とするのが好ましい。また、車両使用管理装置１の電源は、常時オンにしておいてもよい。これにより、起動条件が成立した後の制御開始時間を短くすることができる。
【００２７】
ステップＳ１０１で起動条件成立と判断すると、ステップＳ１０２で、運転席に着座している使用希望者が所持している電子運転免許証２との通信を開始する。そして、電子運転免許証２に記載された事項（免許証情報）を取得する。取得する事項には、少なくとも電子運転免許証２に記憶された運転の条件を示す情報が含まれる。運転の条件を示す情報は、例えば「眼鏡等」であり、「眼鏡等」が記憶されている場合、運転者は、運転時に眼鏡やコンタクトレンズを装着する必要がある。
【００２８】
ステップＳ１０３では、免許証情報を取得することができたかどうかを判断する。電子運転免許証２との通信ができなった場合、及び通信ができても免許証情報が受信できない場合は、Ｎｏを判断し、ステップＳ１１１に移り、報知１を出力部１５から出力して終了する。報知１は、例えば、免許証情報が取得できない旨の表示出力又は音声出力、及び電子運転免許証の所持の確認を求める表示出力又は音声出力である。
【００２９】
免許証情報が取得できた場合は、ステップＳ１０４で、目画像データ及び顔画像データの取得を行う。目画像データの取得は、目画像取得部１２ａを動作させて行い、顔画像データの取得は、顔画像取得部１２ｂを動作させて行う。ここで取得する目画像データは、目の虹彩部分全体を少なくとも含むものであり、顔画像データは、少なくとも眼鏡装着領域を含む目の周辺を含むものである。なお、図８（ｂ）に示すように、目画像取得部１２ａを構成するカメラと顔画像取得部１２ｂを構成するカメラを兼用する場合は、ズーム機能によって撮影範囲を変更し、眼鏡を含む範囲の画像と虹彩部分のみの画像との２種類の画像を取得する。また、１台のカメラが、高解像度の画像データを取得できる場合は、眼鏡装着領域を含む目の周辺の画像データを取得するだけでもよい。このような顔画像データを取得すると、後述するように、眼鏡装着の識別、コンタクトレンズ装着の識別、及び虹彩情報の取得を同一の画像データを利用して行うことができる。
【００３０】
続いて、電子運転免許証２から取得した免許証情報の運転条件に「眼鏡等」が含まれているかどうかを判断する。「眼鏡等」が含まれていない場合は、眼鏡等の装着の有無を判別する必要がないので、ステップＳ１０８に移って虹彩認証を行う。「眼鏡等」が含まれている場合は、ステップＳ１０６で、眼鏡等使用の識別を行う。
【００３１】
眼鏡等使用の識別処理について、図３に基づいて説明する。ステップＳ２０１では、ステップＳ１０４で取得した目画像データ及び顔画像データに対して輪郭強調処理を施す。輪郭強調処理自体は周知であるので説明を省略する。輪郭強調処理を行うことにより、眼鏡を装着している場合は眼鏡の輪郭が強調される。また、瞳孔を中心に、瞳孔と虹彩の境界、及び虹彩の外形が強調される。
【００３２】
ステップＳ２０２では、輪郭強調された顔画像中に眼鏡形状があるかどうかを判断し、ある場合は、眼鏡を装着していると判断し、眼鏡等を使用している旨出力する（ステップＳ２０８）。輪郭強調された画像中に眼鏡形状がないと判断された場合、ステップＳ２０３以降で、輪郭強調された目画像データを利用してコンタクトレンズの装着の有無を判別する（コンタクトレンズ識別処理）。なお、ステップＳ１０４で共通の顔画像データを取得した場合は、共通の顔画像データに対して輪郭強調された顔画像データを利用して眼鏡形状の有無、コンタクトレンズの装着の有無を判断する。この場合、眼鏡形状の有無を判断するための輪郭強調処理と、コンタクトレンズの装着の有無を判断するための輪郭強調処理とを別々に行ってもよい。
【００３３】
ステップＳ２０３では、輪郭強調された目画像から円形の境界（円形エッジ）を抽出する。既述のように、虹彩部分の強調画像では、瞳孔と虹彩の境界、及び虹彩の外形が円形エッジとして抽出されるとともに、コンタクトレンズが撮影されている場合はその輪郭も円形エッジとして抽出される。
【００３４】
輪郭強調された目画像は、模式的には図５に示すようなものとなる。図５（ａ）は、コンタクトレンズを装着していない場合の例であり、２つの円形エッジ５１、５２を有する。一方、コンタクトレンズを装着している場合、図５（ｂ）、（ｃ）に示すように、コンタクトレンズの外形に対応する円形エッジ５３、５４を有する。図５（ｂ）は、ハードコンタクトレンズの例であり、円形エッジ５３は、虹彩外形を示す円形エッジ５１より小さいものとなる。また、図５（ｃ）は、ソフトコンタクトレンズの例であり、円形エッジ５３は、虹彩外形を示す円形エッジ５１と同じかそれ以上の大きさとなる。
【００３５】
ステップＳ２０４では、抽出された円形エッジの数が３以上かどうかを判断する。コンタクトレンズを使用していない場合は、円形形状は、瞳孔と虹彩の境界と、虹彩の外形だけであるので、円形エッジの数が３以上でない場合、コンタクトレンズが写っていないと判断できる。したがって、円形エッジの数が３以上でない場合は、眼鏡等を装着していないと判断し、眼鏡等を使用していない旨出力する（ステップＳ２０９）。
【００３６】
円形エッジの数が３以上である場合、抽出された円形エッジの中にコンタクトレンズの外形に対応する円形エッジが含まれるかどうかを調べ、コンタクトレンズの装着の有無を識別する。ステップＳ２０５では、抽出した円形エッジのうち、虹彩外形に対応する円形エッジと瞳孔外形（瞳孔と虹彩の境界）に対応する円形エッジを抽出する。具体的には、中心を同一とする２つの円形エッジ間に虹彩模様がある場合、外側の円形エッジを虹彩外形と、内側の円形エッジを瞳孔外形と判断する。
【００３７】
ステップＳ２０６では、虹彩外形及び瞳孔外形に対応する円形エッジ以外の円形エッジがコンタクトレンズの外形に対応する円形エッジかどうかを判断するために、それらの円形エッジの大きさを検出する。コンタクトレンズは、虹彩の大きさに対して所定の範囲の大きさに作成するので、円形エッジの大きさを検出することにより、コンタクトレンズに対応するものかどうかを識別できる。一般に、ハードコンタクトレンズは虹彩外形に対して０．５〜１．１倍の大きさに作成し、ソフトコンタクトレンズは虹彩外形に対して１．０〜１．５倍の大きさに作成する。したがって、虹彩外形に対して０．５〜１．５倍の大きさの円形エッジはコンタクトレンズに対応する円形エッジと判断することができる。
【００３８】
したがって、ステップＳ２０７において、虹彩外形及び瞳孔外形に対応する円形エッジ以外の円形エッジの大きさが、規定範囲内（例えば、虹彩外形に対して０．５〜１．５倍）である場合、コンタクトレンズを装着していると判断し、眼鏡等を使用している旨出力する（ステップＳ２０８）。一方、規定範囲内でない場合は、検出された虹彩外形及び瞳孔外形以外の円形エッジがコンタクトレンズに対応するものでないと考えられるので、コンタクトレンズを装着していないと判断し、眼鏡等を使用していない旨出力する（ステップＳ２０９）。なお、コンタクトレンズの装着状態が、虹彩外形又は瞳孔外形と一致する状態も考えられるが、このような状態となる期間は少ないので、再度目画像の取得を行うようにすれば問題は生じない。
【００３９】
図２に戻って、ステップＳ１０６の処理結果を参照し（ステップＳ１０７）、眼鏡等を使用していない場合は、ステップＳ１１２に移り、報知２を出力部１５から出力して終了する。報知２は、例えば、眼鏡等を使用していない旨の表示出力又は音声出力、及び眼鏡等の使用を求める表示出力又は音声出力である。眼鏡等を使用している場合は、ステップＳ１０８に移り、ステップＳ１０４で取得した目画像データを利用して虹彩認証を行う。
【００４０】
目画像データを利用した虹彩認証について、図４に基づいて説明する。ステップＳ３０１では、ステップＳ１０４で取得した目画像データに対して輪郭強調処理を施す。輪郭強調処理自体は周知であるので説明を省略する。輪郭強調処理を行うことにより、瞳孔を中心に、瞳孔と虹彩の境界、及び虹彩の外形が強調される。なお、この処理は、コンタクトレンズ識別処理を行っている場合、ステップＳ２０１で取得した輪郭強調処理画像を利用することにより、省略可能である。
【００４１】
ステップＳ３０２では、輪郭強調された画像から円形の境界（円形エッジ）を抽出する。既述のように、虹彩部分の強調画像では、瞳孔と虹彩の境界、及び虹彩の外形が円形エッジとして抽出されるとともに、コンタクトレンズが撮影されている場合はその輪郭も円形エッジとして抽出される。この処理も、コンタクトレンズ識別処理を行っている場合、ステップＳ２０３で抽出した円形エッジを利用することにより、省略可能である。
【００４２】
ステップＳ３０３では、抽出した円形エッジのうち、虹彩外形に対応する円形エッジと瞳孔外形（瞳孔と虹彩の境界）に対応する円形エッジを抽出する。具体的には、円形エッジの中に虹彩模様がある場合、その円形エッジを虹彩外形に対応するものと判断し、虹彩外形に対応する円形エッジ中心部にある円形エッジを瞳孔外形に対応する円形エッジと判断する。この処理も、コンタクトレンズ識別処理を行っている場合、ステップＳ２０５で抽出した虹彩外形に対応する円形エッジと瞳孔外形に対応する円形エッジを利用することにより、省略可能である。
【００４３】
ステップＳ３０４では、虹彩関連円形エッジ以外の円形エッジを除去して目画像の虹彩模様に基づいて虹彩コードを抽出する。虹彩コードの抽出は、虹彩外形と瞳孔外形間の領域の虹彩模様を、コード化することにより行う。そして、ステップＳ３０５では、ステップＳ３０４で抽出した虹彩コードと、記憶部１３に記憶された車両使用許可者の虹彩コードとを比較する。ステップＳ３０３の虹彩コード抽出処理及びステップＳ３０５の虹彩コードの比較処理の詳細は、特許文献２に示されているので詳細な説明は省略する。
【００４４】
ステップＳ３０６において、虹彩コードが一致していると判断される場合、認証が成功である旨出力する（ステップＳ３０７）。一方、虹彩コードが一致していると判断されない場合は、認証が失敗である旨出力する（ステップＳ３０８）。
【００４５】
図２に戻って、ステップＳ１０８の処理結果を参照し（ステップＳ１０９）、認証失敗である場合は、ステップＳ１１３に移り、報知３を出力部１５から出力して終了する。報知３は、虹彩認証が失敗である旨の表示出力又は音声出力である。認証成功である場合は、ステップＳ１１０に移り、エンジン始動許可を車両側インタフェース１７を介して車両制御部４に出力する。
【００４６】
以上の説明では、虹彩認証処理を眼鏡等の識別処理の後に行っているが、先に行ってもよい。また、眼鏡等使用の識別処理において、眼鏡の装着の有無の判断を先に行い、眼鏡の装着していない判断された場合にコンタクトレンズの装着の有無の判断を行うようにしたが、先にコンタクトレンズの装着の有無の判断を行ってもよい。
【００４７】
虹彩認証処理を先に行い、コンタクトレンズの装着の有無の判断を先に行う場合の動作を、図６、図７を用いて説明する。
【００４８】
図６のステップＳ３０１、Ｓ３０２、Ｓ３０３、及びＳ３１１は、図２のステップＳ１０１、Ｓ１０２、Ｓ１０３、及びＳ１１１と同様の処理であるので、説明を省略する。ステップＳ３０３で、免許証情報が取得できた場合は、ステップＳ３０４で、目画像データの取得を行う。目画像データの取得は、目画像取得部１２ａを動作させて行う。そして、ステップＳ３０４で取得した目画像データを利用して虹彩認証を行う（ステップＳ３０５）。虹彩認証処理は、図４に示した手順で行う。
【００４９】
続いて、ステップＳ３０５の処理結果を参照し（ステップＳ３０６）、認証失敗である場合は、ステップＳ３１２に移り、報知３を出力部１５から出力して終了する。報知３は、虹彩認証が失敗である旨の表示出力又は音声出力である。認証成功である場合は、ステップＳ３０７に移り、電子運転免許証２から取得した免許証情報の運転条件に「眼鏡等」が含まれているかどうかを判断する。「眼鏡等」が含まれていない場合は、眼鏡等の装着の有無を判別する必要がないので、ステップＳ３１０に移り、エンジン始動許可を車両側インタフェース１７を介して車両制御部４に出力する。免許証情報の運転条件に「眼鏡等」が含まれている場合は、ステップＳ３０８で、眼鏡等使用の識別を行う。
【００５０】
眼鏡等使用の識別処理は、図７に示す手順で行う。ステップＳ４０１では、ステップＳ３０４で取得した目画像データに対して輪郭強調処理を施す。輪郭強調処理を行うことにより、瞳孔を中心に、瞳孔と虹彩の境界、及び虹彩の外形が強調される。そして、ステップＳ４０２で、輪郭強調された目画像から円形の境界（円形エッジ）を抽出する。既述のように、虹彩部分の強調画像では、瞳孔と虹彩の境界、及び虹彩の外形が円形エッジとして抽出される。なお、ステップＳ４０１、Ｓ４０２の処理は、虹彩認証処理における輪郭抽出処理（ステップＳ３０１）及び円形エッジの抽出処理（ステップＳ３０２）の結果を利用することにより、省略可能である。
【００５１】
ステップＳ４０４では、抽出された円形エッジの数が３以上かどうかを判断する。コンタクトレンズを使用していない場合は、円形形状は、瞳孔と虹彩の境界と、虹彩の外形だけであるので、円形エッジの数が３以上でない場合、コンタクトレンズが写っていないと判断できる。したがって、円形エッジの数が３以上でない場合は、コンタクトレンズを装着していないと判断し、ステップＳ４０８に移る。
【００５２】
円形エッジの数が３以上である場合、抽出された円形エッジの中にコンタクトレンズの外形に対応する円形エッジが含まれるかどうかを調べ、コンタクトレンズの装着の有無を識別する。ステップＳ４０４では、抽出した円形エッジのうち、虹彩外形に対応する円形エッジと瞳孔外形（瞳孔と虹彩の境界）に対応する円形エッジを抽出する。具体的には、中心を同一とする２つの円形エッジ間に虹彩模様がある場合、外側の円形エッジを虹彩外形と、内側の円形エッジを瞳孔外形と判断する。
【００５３】
ステップＳ４０５では、虹彩外形及び瞳孔外形に対応する円形エッジ以外の円形エッジがコンタクトレンズの外形に対応する円形エッジかどうかを判断するために、それらの円形エッジの大きさを検出する。コンタクトレンズは、虹彩の大きさに対して所定の範囲の大きさに作成するので、円形エッジの大きさを検出することにより、コンタクトレンズに対応するものかどうかを識別できる。一般に、ハードコンタクトレンズは虹彩外形に対して０．５〜１．１倍の大きさに作成し、ソフトコンタクトレンズは虹彩外形に対して１．０〜１．５倍の大きさに作成する。したがって、虹彩外形に対して０．５〜１．５倍の大きさの円形エッジはコンタクトレンズに対応する円形エッジと判断することができる。
【００５４】
したがって、ステップＳ４０６において、虹彩外形及び瞳孔外形に対応する円形エッジ以外の円形エッジの大きさが、規定範囲内（例えば、虹彩外形に対して０．５〜１．５倍）である場合、コンタクトレンズを装着していると判断し、眼鏡等を使用している旨出力する（ステップＳ４０７）。一方、規定範囲内でない場合は、コンタクトレンズを装着していないと判断し、ステップＳ４０８に移る。
【００５５】
ステップＳ４０８では、顔画像データに対して輪郭強調を施す。そして、輪郭強調された顔画像中に眼鏡形状があるかどうかを判断し、ある場合は、眼鏡を装着していると判断し、眼鏡等を使用している旨出力する（ステップＳ４０７）。輪郭強調された画像中に眼鏡形状がないと判断された場合、眼鏡等を装着していないと判断し、眼鏡等を使用していない旨出力する（ステップＳ４１０）。
【００５６】
図６に戻って、ステップＳ３０８の処理結果を参照し（ステップＳ３０９）、眼鏡等を使用していない場合は、ステップＳ３１３に移り、報知２を出力部１５から出力して終了する。報知２は、例えば、眼鏡等を使用していない旨の表示出力又は音声出力、及び眼鏡等の使用を求める表示出力又は音声出力である。眼鏡等を使用している場合は、ステップＳ３１０に移り、エンジン始動許可を車両側インタフェース１７を介して車両制御部４に出力する。
【００５７】
以上の説明から明らかなように、虹彩認証処理を先に行い、コンタクトレンズの装着の有無の判断を先に行うようにすると、免許証情報の運転条件に「眼鏡等」が含まれている場合、及び車両使用者がコンタクトレンズを装着している場合、車両使用者の顔画像データの取得及び画像処理を省略することができ、車両の運転の可否を判断を迅速に行うことができる。
【００５８】
また、虹彩認証処理を先に行い、眼鏡の装着の有無の判断を先に行うようにしてもよいし、虹彩認証処理を後に行い、コンタクトレンズの装着の有無の判断を先に行うようにしてもよい。
【産業上の利用可能性】
【００５９】
本発明は、目画像データから円形エッジを抽出し、抽出した円形エッジの数及び大きさに基づいてコンタクトレンズの装着を識別するので、車両の使用者がコンタクトレンズを装着しているかを確実に識別することを可能とする車両使用管理装置等として有用である。
【図面の簡単な説明】
【００６０】
【図１】本発明の実施の形態の車両使用管理装置の概略機能ブロック図
【図２】本発明の実施の形態の車両使用管理装置の基本動作を示すフロー図
【図３】本発明の実施の形態の車両使用管理装置における眼鏡等の識別動作を示すフロー図
【図４】本発明の実施の形態の車両使用管理装置における虹彩認証動作を示すフロー図
【図５】本発明の実施の形態の車両使用管理装置における輪郭強調された目画像の一例を模式的に示す図
【図６】本発明の実施の形態の車両使用管理装置の基本動作の他の例を示すフロー図
【図７】本発明の実施の形態の車両使用管理装置における眼鏡等の識別動作の他の例を示すフロー図
【図８】本発明の実施の形態の車両管理装置における顔画像及び目画像取得の様子を模式的に示す図
【符号の説明】
【００６１】
１・・・車両使用管理装置
２・・・電子運転免許証
３・・・車両状態検出部
４・・・車両制御部
１１・・・カード読込み書込み部
１２ａ・・・目画像取得部
１２ｂ・・・顔画像取得部
１３・・・記憶部
１４・・・制御部
１５・・・出力部
１６・・・操作部
１７・・・車両側インタフェース
２０・・・運転者
２１・・・目画像撮影用カメラ
２２、２３・・・顔画像撮影用カメラ
２１ａ、２２ａ、２３ａ、２３ｂ・・・撮影範囲
３０・・・近赤外照明装置
【図１】
2007246031.tif 000003
【図２】
2007246031.tif 000004
【図３】
2007246031.tif 000005
【図４】
2007246031.tif 000006
【図５】
2007246031.tif 000007
【図６】
2007246031.tif 000008
【図７】
2007246031.tif 000009
【図８】
2007246031.tif 000010